(57)【要約】【課題】コンビニエンスストアなどの小売店舗で各種小物商品類を陳列展示するための什器に関して、全体を軽量素材により作成しながら適宜な回転陳列を可能とするためのリング状ベアリングとそれを利用した回転什器を提供しようとするものである。【解決手段】金属以外の軽量硬質素材による３枚以上の同形状リング状板材２を重ね合わせ、該板材に設けた複数個の孔部３にそれぞれ嵌め込んだ軽量硬質素材によるベアリング球４が嵌め込み状態のままで自在に回転できる構造とする。また、リング状板材２として厚板紙を、ベアリング球４としてプラスチックをそれぞれ採用する。【選択図】図１
0003169618.tif 000002
【実用新案登録請求の範囲】
【請求項１】
３枚以上の同形状リング状板材を重ね合わせ、該板材に設けた複数個の孔部にそれぞれ嵌め込んだベアリング球が嵌め込み状態のままで自在に回転できる構造としたことを特徴とする商品ディスプレイ用什器回転用リング状ベアリング。
【請求項２】
リング状板材として厚板紙を採用し、ベアリング球としてプラスチックを採用したことを特徴とする請求項１に記載の商品ディスプレイ用什器回転用リング状ベアリング。
【請求項３】
板材に設けた複数個の孔部の中で、中心部の板材に設けた孔部の直径がベアリング球の直径よりも大きく、中心部の板材を挟み込む上下両端部の板材に設けた孔部の直径がベアリング球の直径よりも小さいものとされていることを特徴とする請求項１または請求項２に記載の商品ディスプレイ用什器回転用リング状ベアリング。
【請求項４】
重ね合わせるリング状板材の素材としての若干の変形性を利用して、孔部に対するベアリング球の着脱交換が単純なはめ込み作業により行えることを特徴とした請求項１〜請求項３の何れか１つに記載の商品ディスプレイ用什器回転用リング状ベアリング。
【請求項５】
回転して商品を展示できることを特徴とする商品ディスプレイ用回転什器。
【請求項６】
回転什器が吊り下げ式のものであることを特徴とする請求項５に記載の商品ディスプレイ用回転什器。
【請求項７】
什器が紙製であることを特徴とする請求項５または請求項６に記載の商品ディスプレイ用回転什器。
【請求項８】
商品ディスプレイ用のフック部材を着脱自在なものとして備え付けることを特徴とする請求項５〜請求項７の何れか１つに記載の商品ディスプレイ用回転什器。
【請求項９】
商品ディスプレイ用の棚部材を着脱自在なものとして備え付けることを特徴とする請求項５〜請求項８の何れか1つに記載の商品ディスプレイ用回転什器。
【考案の詳細な説明】
【技術分野】
【０００１】
この考案は、コンビニエンスストアなどの小売店舗で各種小物商品類を陳列展示するための什器に関して、全体を軽量素材により作成しながら適宜な回転陳列を可能とするためのリング状ベアリングとそれを利用した回転什器を提供しようとするものである。
【背景技術】
【０００２】
機械類における相互の回転関係をスムーズに行うためにリング状のベアリング材を用いることは一般的に行われ、相当な重量物を載せた状態でろくろのように回転させるためにリング状ベアリングを利用することも普通に行われている。
また、コンビニエンスストアなどで商品を効率的且つより商品購入者の意識を惹くように工夫を凝らした商品陳列用の什器などについての提案もなされている。
【先行技術文献】
【特許文献】
【０００３】
【特許文献１】特開２００５−１５２２４０号公報
【考案の概要】
【考案が解決しようとする課題】
【０００４】
しかし、上記のような従来のものは、回転動作用のリング状ベアリングについて言えば、相当の重量や力がかかっても動作できるように硬質金属製のボールを用いベアリング全体も金属で形成するものがほとんどで、軽量素材でシンプル且つ低コストに作成されるものはなかった。
【０００５】
また、商品陳列用の什器についても、回転動作を伴わせる場合には上記のような金属製のリング状ベアリングを用いた大掛かりなものがほとんどでシンプル且つ軽量に、しかも比較的小型の回転什器は存在してこなかった。
特に、該回転什器を紙素材を基本として実現するようなことは実際上不可能なことであった。
特許文献１のものも本格的な素材による旋回什器であり、この考案のような紙素材を基本とした軽量かつ回転自在なものという発想の技術ではない。
【課題を解決するための手段】
【０００６】
この考案は、上記したような課題を解決すべく検討を重ねた結果として得られたものであり、軽量硬質プラスチック製のボールと厚紙などの相応な強度を持った金属以外の軽量素材の積層構造体を利用したリング状ベアリングを得ることに成功し、これを利用して商品陳列展示用の軽量小型回転什器を実現したものであって、具体的には以下のごとくである。
【０００７】
（１）  金属以外の軽量硬質素材による３枚以上の同形状リング状板材を重ね合わせ、該板材に設けた複数個の孔部にそれぞれ嵌め込んだ軽量硬質素材によるベアリング球が嵌め込み状態のままで自在に回転できる構造としたことを特徴とする商品ディスプレイ用軽量什器回転用リング状ベアリング。
【０００８】
（２）  金属以外の軽量硬質素材として厚板紙を採用し、ベアリング球として軽量硬質プラスチックを採用したことを特徴とする前記（１）項に記載の商品ディスプレイ用軽量什器回転用リング状ベアリング。
【０００９】
（３）  板材に設けた複数個の孔部の中で、中心部の板材に設けた孔部の直径がベアリング球の直径よりも大きく、中心部の板材を挟み込む上下両端部の板材に設けた孔部の直径がベアリング球の直径よりも小さいものとされていることを特徴とする前記（１）項または（２）項に記載の商品ディスプレイ用軽量什器回転用リング状ベアリング。
【００１０】
（４）  重ね合わせるリング状板材の素材としての若干の変形性を利用して、孔部に対するベアリング球の着脱交換が単純なはめ込み作業により行えることを特徴とした前記（１）項〜（３）項の何れか１つに記載の商品ディスプレイ用軽量什器回転用リング状ベアリング。
【００１１】
（５）  前記（１）項〜（４）項の何れか１つに記載のリング状ベアリング上に載置することで自在に回転して商品を展示できることを特徴とする商品ディスプレイ用軽量回転什器。
【００１２】
（６）  回転什器が吊り下げ式のものであることを特徴とする前記（５）項に記載の商品ディスプレイ用軽量回転什器。
【００１３】
（７）  什器が紙製であることにより軽量化されていることを特徴とする前記（５）項または（６）項に記載の商品ディスプレイ用軽量回転什器。
【００１４】
（８）  商品ディスプレイ用のフック部材を着脱自在なものとして備え付けることを特徴とする前記（５）項〜（７）項の何れか１つに記載の商品ディスプレイ用軽量回転什器。
【００１５】
（９）  商品ディスプレイ用の棚部材を着脱自在なものとして備え付けることを特徴とする前記（５）項〜（８）項の何れか1つに記載の商品ディスプレイ用軽量回転什器。
【考案の効果】
【００１６】
金属以外の軽量硬質素材による３枚以上の同形状リング状板材を重ね合わせ、該板材に設けた複数個の孔部にそれぞれ嵌め込んだ軽量硬質素材によるベアリング球が嵌め込み状態のままで自在に回転できる構造としたことにより、用途に応じて充分な強度を備えたリング状ベアリングそのものを従来の金属製などのものと比べて飛躍的に軽量化することができ、しかも簡単な構造により低コストに製造可能なものとして得ることができるようになる。
【００１７】
金属以外の軽量硬質素材として厚板紙を採用し、ベアリング球として軽量硬質プラスチックを採用したことにより、軽量な商品展示用什器などを自在に回転させるに充分なリング状ベアリングを得ることができるようになる。
【００１８】
板材に設けた複数個の孔部の中で、中心部の板材に設けた孔部の直径がベアリング球の直径よりも大きく、中心部の板材を挟み込む上下両端部の板材に設けた孔部の直径がベアリング球の直径よりも小さいものとされていることにより、シンプルな構造でありながら充分な回転動作を実現するリング状ベアリングが簡単に組立てることができるようになる。
【００１９】
重ね合わせるリング状板材の素材としての若干の変形性を利用して、孔部に対するベアリング球の着脱交換が単純なはめ込み作業により行えることにより、ベアリング球の交換作業なども容易に行えるものとなる。
【００２０】
前記の何れか１つに記載のリング状ベアリング上に載置することで自在に回転して商品を展示できることで、従来は回転展示させることが困難であった商品展示用の軽量什器などを簡単に回転可能なものとして展示商品の注目度を向上させることができるようになる。
【００２１】
回転什器が吊り下げ式のものであることにより、店舗の天井近くなど上方部から吊り下げて注目度を上げる商品展示什器などを回転動作可能なものとなして、より展示価値の高いものとすることができるようになる。
【００２２】
什器が紙製であることにより軽量化されていることによって、軽量な紙製の商品展示用什器でありながら従来は困難であった商品の回転展示などを簡単且つ低コストで行うことができるようになる。
【００２３】
商品ディスプレイ用のフック部材を着脱自在なものとして備え付けることにより、フックに吊り下げ方式で展示するタイプの各種商品を適切に展示することができるようになる。
【００２４】
商品ディスプレイ用の棚部材を着脱自在なものとして備え付けることで、展示する商品のサイズや種類に合わせて適切な棚材を用いた多様な商品展示を自在に行いながら、回転展示させることをも可能となる。
【図面の簡単な説明】
【００２５】
【図１】この考案のリング状ベアリングの構成関係を示した説明図である。
【図２】この考案の回転什器構成関係を示した説明図である。
【図３】同じく回転什器の構成関係を示す説明図である。
【図４】回転什器の回転状態を説明する図面である。
【図５】吊り下げタイプの回転什器の構成関係を示す説明図面である。
【図６】メガネやサングラスを陳列するための回転什器を示した図面である。
【図７】メガネ等を陳列した状態を示した図面である。
【図８】吊り下げタイプの回転什器に商品陳列した状態を示した図面である。
【考案を実施するための形態】
【００２６】
上記してきたようなこの考案の具体的な実施形態の幾つかを、添付図面等を利用しながら以下において説明する。
図１は、この考案におけるリング状ベアリング１の代表的な作成方法を説明するものである。すなわち、同形状のリング状板材２を３枚重ね合わせ３層のリング状シートとなし、設けた複数の孔部３にベアリング球４を嵌め込んで自由に回転できるようにすることで形成したものである。
【００２７】
リング状板材２は金属以外の素材による軽量硬質なものであり、例えば適切な強度を備えた厚板紙などを採用することができる。この考案による商品陳列用什器は商品を陳列した状態での全体の重量としてもせいぜい数ｋｇ程度のものになるので、適切な強度を持った厚板紙であっても充分にリング状ベアリング１として機能するのである。通常の金属製リング状ベアリングでは強度が有りすぎて無駄であり、重量も重く製品コストも高いものとなるので採用することができない。
【００２８】
リング状板材２の素材としては、この厚板紙以外にも同様の効果が期待できる硬質プラスチック製板材などが採用可能である。すなわち、一般的な金属製リング状ベアリングよりも軽量でありながら、数ｋｇからせいぜい１０ｋｇ程度の重量を支えながら回転することができる強度を持った板状素材であれば採用可能なのである。
【００２９】
ベアリング球４としても硬質プラスチック製の球体などが採用可能である。通常の金属製リング状ベアリングのように精度が高い硬質金属製の球体を採用しなくても、この考案で想定する程度の重量物を適切に回転操作させるために用いるリング状ベアリング１としては充分間に合うのである。
【００３０】
各リング状板材２に形成する孔部３の位置は、３層に重ね合わせた際に正確に一致するように配慮され、また、それらの配置や個数はリング状ベアリング１としてのスムーズな回転動作が確保できるように適宜に設計し決定すればよい。図示のものは６個の孔部３であるが、これに限定されるものではない。
【００３１】
また、孔部３のサイズは採用されるベアリング球４との関係で決定されるものである。すなわち、上下のシート材２に設けられる孔部３の直径はベアリング球４の直径よりも若干小さく、中心のリング状板材２に設けられる孔部３の直径はベアリング球４の直径よりも若干大きいものとされる。また、３層とされたこの考案リング状ベアリング１の厚さはベアリング球４の直径よりも小さいものとなるように制限されている。
【００３２】
このようにされることで、上下のリング状板材２の各孔部３からベアリング球４の頭が若干出る状態となりながら、中心のリング状板材２の孔部３による空間で自由に回転できるので、その結果としてリング状ベアリング１として機能するようになるのである。
【００３３】
ベアリング球４は３層構造のリング状板２に形成された孔部３に封入されるものであるが、リング状板材２の素材が厚板紙のように若干の変形性を有する場合には、上下いずれかのリング状板材２の孔部３から嵌め込みして使用できるようにすることもできるものである。したがって、使用開始後にベアリング球４を適宜に交換するようなことも手軽に実現できることになる。
【００３４】
図２〜図４は、この考案の商品ディスプレイ用回転什器５の１例をその形成手順と共に示したものである。
すなわち、リング状ベアリング１は基台部６に備えられた中心柱７に挿入されるようにしてセッティングされ、その上に商品陳列用什器８（この什器８は陳列すべき商品にしたがって様々な形状となるので、ここでは代表的に直方体形状で示している）が載置されることでこの考案の基本構成が完成する（図２から図４参照）。
【００３５】
このような構成となることで中心柱７に挿入されたリング状ベアリング１は基台部６と什器８の底部とに挟まれて、その場で３６０度の自在な回転動作を行えることになり、その結果、載置状態の商品陳列用什器８も自在に回転するようになるので全体として回転什器５が実現するものである。
【００３６】
また、このような回転什器５は上記のような載置タイプのものばかりではなく、上方から吊り下げるタイプのものとしても実現可能である。すなわち、図５に示すように、中心柱７ａを備えた基台部６ａを逆さまにして介装台９との間にこの考案のリング状ベアリング１を挟み込むことで上方から吊り下げ状態としながらも自在に回転動作することのできる回転什器５が実現するのである。ここでは、中心柱７ａ自体にフック１０を商品陳列用に取付ける形式を示しているが、図１から図４に示したように別体の什器を取付けることも可能である。
【００３７】
この考案では回転什器５全体をできるだけ軽量なものとすることを目標としているので、上記してきたような基台６、６ａや中心柱７、７ａ、什器８、介装台９なども軽量でありながら必要十分な強度を備えた厚紙素材や軽量プラスチック板材などにより形成することが望ましい。
【００３８】
図６は、実際にメガネやサングラスなどを陳列するに相応しい機構を備えたこの考案回転什器５の１例を示している。メガネ等をかけた状態を自由に確認できるように鏡１１を備え、全体として１６個程度のメガネ等を自在に回転陳列できるものとなっている（図７も参照）。
【００３９】
図８は、吊り下げ形式のこの考案回転什器５に備えたフック１０を使って商品陳列を行う場合の１例を示したものである。このように商品の形態や種類に応じて多様な回転陳列がこの考案により可能となることが理解できる。
【００４０】
さらに、商品陳列用としてはフック１０などとは別に適宜なサイズの棚部材などを利用することも可能であり、これらは何れも任意に着脱自在な形式とすることが好ましい。
【産業上の利用可能性】
【００４１】
以上説明してきたようなこの考案によるときは、厚紙素材などの軽量材料を主な材料として利用しながら、従来と比較して簡単かつ低コストに各種商品を回転陳列できるディスプレイ什器を実現することができるものであって、各種小売店舗などにおいて有効活用されることが期待でき、したがって、産業上の利用可能性のおいて優れた考案であると理解されるものである。
【符号の説明】
【００４２】
１…リング状ベアリング                  ２…リング状板材
３…孔部                                ４…ベアリング球
５…商品ディスプレイ用回転什器          ６…基台
６ａ…基台                              ７…中心柱
７ａ…中心柱                            ８…什器
９…介装台                              １０…フック
１１…鏡
【図１】
0003169618.tif 000003
【図２】
0003169618.tif 000004
【図３】
0003169618.tif 000005
【図４】
0003169618.tif 000006
【図５】
0003169618.tif 000007
【図６】
0003169618.tif 000008
【図７】
0003169618.tif 000009
【図８】
0003169618.tif 000010
【手続補正書】
【提出日】平成23年6月1日(2011.6.1)
【手続補正１】
【補正対象書類名】実用新案登録請求の範囲
【補正対象項目名】全文
【補正方法】変更
【補正の内容】
【実用新案登録請求の範囲】
【請求項１】
３枚以上の同形状リング状板材を重ね合わせ、該板材に設けた複数個の孔部にそれぞれ嵌め込んだベアリング球が嵌め込み状態のままで自在に回転できる構造としたことを特徴とする商品ディスプレイ用什器回転用リング状ベアリング。
【請求項２】
リング状板材として厚板紙を採用し、ベアリング球としてプラスチックを採用したことを特徴とする請求項１に記載の商品ディスプレイ用什器回転用リング状ベアリング。
【請求項３】
板材に設けた複数個の孔部の中で、中心部の板材に設けた孔部の直径がベアリング球の直径よりも大きく、中心部の板材を挟み込む上下両端部の板材に設けた孔部の直径がベアリング球の直径よりも小さいものとされていることを特徴とする請求項１または請求項２に記載の商品ディスプレイ用什器回転用リング状ベアリング。
【請求項４】
重ね合わせるリング状板材の素材として若干の変形性あるものとし、孔部に対するベアリング球の着脱交換が単純なはめ込み作業により行えるようにしたことを特徴とする請求項１〜請求項３の何れか１つに記載の商品ディスプレイ用什器回転用リング状ベアリング。
【請求項５】
回転して商品を展示できるようにしたことを特徴とする、請求項１〜請求項４の何れか１つに記載の商品ディスプレイ用什器回転用リング状ベアリングを設けた商品ディスプレイ用回転什器。
【請求項６】
回転什器が吊り下げ式のものであることを特徴とする請求項５に記載の商品ディスプレイ用回転什器。
【請求項７】
回転什器が紙製であることを特徴とする請求項５または請求項６に記載の商品ディスプレイ用回転什器。
【請求項８】
回転什器に商品ディスプレイ用のフックを着脱自在なものとして備え付けてあることを特徴とする請求項５〜請求項７の何れか１つに記載の商品ディスプレイ用回転什器。
【請求項９】
回転什器に商品ディスプレイ用の棚部材を着脱自在なものとして備え付けてあることを特徴とする請求項５〜請求項８の何れか1つに記載の商品ディスプレイ用回転什器。